(57)【特許請求の範囲】
【請求項１】
内視鏡用光源装置の駆動を制御する制御手段を備えた光源装置本体と、この光源装置本体に着脱自在で、該光源装置本体と内視鏡との間に介在する接続ユニットとを有する内視鏡用光源装置であって、
前記接続ユニットは、内視鏡に着脱自在に電気的に接続されるコネクタと、該コネクタから入力される信号に所定の信号処理を施す信号処理回路と、前記接続ユニットが前記光源装置本体に装着された状態で、該光源装置本体側の回路と前記信号処理回路とを電気的に接続する接続部とを有し、
前記制御手段と前記光源装置本体に装着される接続ユニットとが適合するか否かを判別する適合性判別手段と、該適合性判別手段により判別された結果を報知するための報知用情報を生成する情報生成手段とを有することを特徴とする内視鏡用光源装置。
【請求項２】
前記情報生成手段は、前記適合性判別手段により不適合と判別された場合に、該不適合の旨を報知するための報知用情報を生成するよう構成されている請求項１に記載の内視鏡用光源装置。
【請求項３】
前記報知用情報は、表示を行うための情報であり、該報知用情報を表示する表示手段を有する請求項１または２に記載の内視鏡用光源装置。
【請求項４】
前記表示手段は、内視鏡画像を表示するためのものでもある請求項３に記載の内視鏡用光源装置。
【請求項５】
前記報知用情報は、表示を行うための情報であり、該報知用情報を出力する出力部を有し、該出力部を介して前記報知用情報が表示手段に入力され、該表示手段により前記報知用情報が表示されるよう構成されている請求項１または２に記載の内視鏡用光源装置。
【請求項６】
前記出力部は、内視鏡画像を表示するための信号を出力する機能を有する請求項５に記載の内視鏡用光源装置。
【請求項７】
前記光源装置本体に装着される接続ユニットと、該接続ユニットに装着される内視鏡とが適合するか否かを判別する適合性判別手段を有し、前記情報生成手段は、該適合性判別手段により不適合と判別された場合に、該不適合の旨を報知するための報知用情報を生成するよう構成されている請求項１ないし６のいずれかに記載の内視鏡用光源装置。
【請求項８】
前記接続ユニットは、対応する内視鏡の種類に関するデータベース情報が記憶されたメモリを有し、
前記内視鏡は、該内視鏡の識別情報が記憶されたメモリを有し、
前記適合性判別手段は、前記接続ユニットのメモリから前記データベース情報を読み出すとともに、前記内視鏡のメモリから前記内視鏡の識別情報を読み出し、前記読み出された両情報を照合し、前記内視鏡の識別情報が前記データベース情報のうちのいずれとも一致しない場合には不適合と判別するよう構成されている請求項７に記載の内視鏡用光源装置。
【請求項９】
前記接続ユニットの装着の有無を検出する検出手段を有する請求項１ないし８のいずれかに記載の内視鏡用光源装置。
【請求項１０】
前記検出手段は、前記接続ユニットと光源装置本体との電気的な接続を検出する請求項９に記載の内視鏡用光源装置。
【請求項１１】
前記情報生成手段は、前記検出手段による検出の結果を報知するための報知用情報を生成するよう構成されている請求項９または１０に記載の内視鏡用光源装置。
【請求項１２】
前記情報生成手段は、報知を行うための前記接続ユニットの識別情報、対応する内視鏡の種類に関するデータベース情報および撮像方式に関する情報のうちの少なくとも１つを生成するよう構成されている請求項１ないし１１のいずれかに記載の内視鏡用光源装置。
【請求項１３】
前記接続ユニットは、該接続ユニットの識別情報、対応する内視鏡の種類に関するデータベース情報および撮像方式に関する情報のうちの少なくとも１つが記憶されたメモリを有する請求項１ないし１１のいずれかに記載の内視鏡用光源装置。
【請求項１４】
前記情報生成手段は、前記メモリから読み出した情報に基づいて、報知を行うための報知用情報を生成する請求項１３に記載の内視鏡用光源装置。
【請求項１５】
前記信号処理の内容が異なる複数の前記接続ユニットが用意されており、
前記光源装置本体には、前記コネクタに接続する内視鏡に対応した信号処理を行う信号処理回路が設けられた単一の接続ユニットが選択的に装着される請求項１ないし１４のいずれかに記載の内視鏡用光源装置。
【発明の詳細な説明】
【０００１】
【発明の属する技術分野】
本発明は、内視鏡装置の光源装置（内視鏡用光源装置）に関する。
【０００２】
【従来の技術】
従来、例えば医療の分野では、消化管等の検査や診断に電子内視鏡装置が使用されている。
【０００３】
この電子内視鏡装置は、光源装置（内視鏡用光源装置）と、この光源装置に着脱自在に装着（接続）され、撮像素子（ＣＣＤイメージセンサ）を備えた内視鏡（スコープ）とで構成されており、例えば、撮像素子の種類や画素数が異なるもの、撮像方式が異なるもの（例えば、モノクロ（白黒）面順次撮像方式、カラー単板撮像方式）、信号処理方式が異なるもの等、その種類も様々である。使用の際は、内視鏡を対応する光源装置に装着する。
【０００４】
しかしながら、前述したように、内視鏡には様々な種類のものが存在するので、これらに対応するには、従来の電子内視鏡装置では、内視鏡に応じた複数の光源装置を用意する必要がある。
【０００５】
例えば、白黒面順次撮像方式の内視鏡を使用する場合は、モノクロ面順次撮像方式の光源装置、すなわち、モノクロ面順次撮像方式の内視鏡用のスコープコネクタおよび信号処理回路や、モノクロ面順次撮像方式に必要なＲＧＢ回転フィルタ等の所定の機構を備えた光源装置を用意し、この光源装置に前記内視鏡を装着する必要がある。
【０００６】
【発明が解決しようとする課題】
本発明の目的は、様々な内視鏡に対応することができる内視鏡用光源装置を提供することにある。
【０００７】
【課題を解決するための手段】
このような目的は、下記（１）〜（15）の本発明により達成される。
【０００８】
（１）  内視鏡用光源装置の駆動を制御する制御手段を備えた光源装置本体と、この光源装置本体に着脱自在で、該光源装置本体と内視鏡との間に介在する接続ユニットとを有する内視鏡用光源装置であって、
前記接続ユニットは、内視鏡に着脱自在に電気的に接続されるコネクタと、該コネクタから入力される信号に所定の信号処理を施す信号処理回路と、前記接続ユニットが前記光源装置本体に装着された状態で、該光源装置本体側の回路と前記信号処理回路とを電気的に接続する接続部とを有し、
前記制御手段と前記光源装置本体に装着される接続ユニットとが適合するか否かを判別する適合性判別手段と、該適合性判別手段により判別された結果を報知するための報知用情報を生成する情報生成手段とを有することを特徴とする内視鏡用光源装置。
【０００９】
（２）  前記情報生成手段は、前記適合性判別手段により不適合と判別された場合に、該不適合の旨を報知するための報知用情報を生成するよう構成されている上記（１）に記載の内視鏡用光源装置。
【００１０】
（３）  前記報知用情報は、表示を行うための情報であり、該報知用情報を表示する表示手段を有する上記（１）または（２）に記載の内視鏡用光源装置。
【００１１】
（４）  前記表示手段は、内視鏡画像を表示するためのものでもある上記（３）に記載の内視鏡用光源装置。
【００１２】
（５）  前記報知用情報は、表示を行うための情報であり、該報知用情報を出力する出力部を有し、該出力部を介して前記報知用情報が表示手段に入力され、該表示手段により前記報知用情報が表示されるよう構成されている上記（１）または（２）に記載の内視鏡用光源装置。
【００１３】
（６）  前記出力部は、内視鏡画像を表示するための信号を出力する機能を有する上記（５）に記載の内視鏡用光源装置。
【００１４】
（７）  前記光源装置本体に装着される接続ユニットと、該接続ユニットに装着される内視鏡とが適合するか否かを判別する適合性判別手段を有し、前記情報生成手段は、該適合性判別手段により不適合と判別された場合に、該不適合の旨を報知するための報知用情報を生成するよう構成されている上記（１）ないし（６）のいずれかに記載の内視鏡用光源装置。
【００１５】
（８）  前記接続ユニットは、対応する内視鏡の種類に関するデータベース情報が記憶されたメモリを有し、
前記内視鏡は、該内視鏡の識別情報が記憶されたメモリを有し、
前記適合性判別手段は、前記接続ユニットのメモリから前記データベース情報を読み出すとともに、前記内視鏡のメモリから前記内視鏡の識別情報を読み出し、前記読み出された両情報を照合し、前記内視鏡の識別情報が前記データベース情報のうちのいずれとも一致しない場合には不適合と判別するよう構成されている上記（７）に記載の内視鏡用光源装置。
【００１６】
（９）  前記接続ユニットの装着の有無を検出する検出手段を有する上記（１）ないし（８）のいずれかに記載の内視鏡用光源装置。
【００１７】
（10）  前記検出手段は、前記接続ユニットと光源装置本体との電気的な接続を検出する上記（９）に記載の内視鏡用光源装置。
【００１８】
（11）  前記情報生成手段は、前記検出手段による検出の結果を報知するための報知用情報を生成するよう構成されている上記（９）または（10）に記載の内視鏡用光源装置。
【００１９】
（12）  前記情報生成手段は、報知を行うための前記接続ユニットの識別情報、対応する内視鏡の種類に関するデータベース情報および撮像方式に関する情報のうちの少なくとも１つを生成するよう構成されている上記（１）ないし（11）のいずれかに記載の内視鏡用光源装置。
【００２０】
（13）  前記接続ユニットは、該接続ユニットの識別情報、対応する内視鏡の種類に関するデータベース情報および撮像方式に関する情報のうちの少なくとも１つが記憶されたメモリを有する上記（１）ないし（11）のいずれかに記載の内視鏡用光源装置。
【００２１】
（14）  前記情報生成手段は、前記メモリから読み出した情報に基づいて、報知を行うための報知用情報を生成する上記（13）に記載の内視鏡用光源装置。
【００２２】
（15）  前記信号処理の内容が異なる複数の前記接続ユニットが用意されており、
前記光源装置本体には、前記コネクタに接続する内視鏡に対応した信号処理を行う信号処理回路が設けられた単一の接続ユニットが選択的に装着される上記（１）ないし（14）のいずれかに記載の内視鏡用光源装置。
【００２３】
【発明の実施の形態】
以下、本発明の内視鏡用光源装置を添付図面に示す好適実施形態に基づいて詳細に説明する。
【００２４】
図１は、本発明の内視鏡用光源装置（光源装置本体および接続ユニット）の実施形態を示す斜視図であり、また、図２は、本発明の内視鏡用光源装置の実施形態の主要部を示す断面図であり、内視鏡用光源装置に内視鏡が装着された状態を示す。
【００２５】
これらの図および図７に示すように、電子内視鏡装置（内視鏡装置）１００は、光源装置（内視鏡用光源装置）１と、光源装置１に着脱自在の内視鏡（スコープ）２とを有している。以下、前記光源装置１を「プロセッサ」と言うこともある。
【００２６】
光源装置１は、内視鏡２へ照明光を供給する光源５７を備えた光源装置本体１０と、光源装置本体１０に着脱自在の初段信号処理回路基板（全体形状が板状の接続ユニット）３と、光源装置本体１０に着脱自在のモニター（表示手段）５１とで構成されている。光源装置本体１０には、所定の入力等を行うキーボード５０が着脱自在に電気的に接続されている。
【００２７】
また、光源装置本体１０には、後述する後段映像信号処理回路７１に電気的に接続されたコネクタ（出力部）９１が設置されている。
【００２８】
このコネクタ９１には、一端がモニター５１に電気的に接続された図示しない接続ケーブルの他端に設けられたコネクタ９２が着脱自在に電気的に接続される。この接続により、光源装置本体１０の後段映像信号処理回路７１とモニター５１とが電気的に接続され、モニター５１への内視鏡画像および情報の表示がそれぞれ可能となる。
【００２９】
前記モニター５１に表示される情報は、内視鏡装置１００の状態、仕様または諸機能に関する情報である。
【００３０】
前記情報としては、例えば、後述する初段信号処理回路基板３の識別情報、この初段信号処理回路基板３に対応する内視鏡２の型式（スコープ型式）に関する情報（対応する内視鏡２の種類に関するデータベース情報）、この初段信号処理回路基板３に対応する撮像方式に関する情報等、初段信号処理回路基板３に固有の情報およびそれに関連する情報と、エラーの報知（警告）、エラーの内容（エラーに対する対処方法を含む）等のエラー情報とがある。
【００３１】
前記情報、すなわち、前記情報をモニター５１に表示するための信号は、後述するシステムコントロール回路５６および後段映像信号処理回路７１で構成される情報生成手段により生成される。この信号は、後段映像信号処理回路７１から、コネクタ９１、９２および図示しない接続ケーブルを介して、モニター５１に入力される。そして、モニター５１の画面５１０に前記情報が表示される。
【００３２】
光源装置本体１０の前面（図１中正面）には、各種キーやスイッチが設けられたフロントパネルスイッチ７３と、内視鏡２を光源装置１に装着する際、内視鏡２の後述するスコープコネクタ（内視鏡側スコープコネクタ）４１が挿入されるコネクタ用孔（孔部）５と、内視鏡２を光源装置１に装着する際、内視鏡２の後述するライトコネクタ４２が挿入されるライトガイド用孔（孔部）７とが、それぞれ設けられている。コネクタ用孔５と、ライトガイド用孔７は、図１および図２中上下方向に並んでいる。
【００３３】
この光源装置１では、様々な内視鏡２に対応し得るように、初段信号処理回路基板３が交換可能となっており、光源装置本体１０の図１中左側の側面部には、この初段信号処理回路基板３を交換（着脱）する際に開閉される初段信号処理回路交換用扉５２が設けられている。
【００３４】
図３に示すように、初段信号処理回路基板３は、基板３８を有し、その基板３８には、内視鏡２に設けられた後述するＣＣＤイメージセンサ（撮像素子）６８からの信号に対して所定の初段の信号処理を施す回路や、光源装置本体１０側の後述するタイミングコントロール回路６５と内視鏡２に設けられた後述する撮像素子用ドライバ回路６９とを導通させるパターンや、前記タイミングコントロール回路６５と内視鏡２に設けられた後述するＥＥＰＲＯＭ８７とを導通させるパターン等を備えた初段信号処理回路１１と、所定の情報が記憶（記録）されているＲＯＭ（不揮発性メモリ）１２と、この初段信号処理回路基板３と光源装置本体１０との電気的接続を図るためのカードエッジ（接続部）１３とが設けられている。なお、カードエッジ１３は、初段信号処理回路基板３の所定の回路に電気的に接続されている。
【００３５】
ＲＯＭ１２には、例えば、初段信号処理回路基板３の識別情報、この初段信号処理回路基板３に対応する内視鏡２の型式（スコープ型式）に関する情報（対応する内視鏡２の種類に関するデータベース情報）、この初段信号処理回路基板３に対応する撮像方式に関する情報等、初段信号処理回路基板３に固有の情報およびそれに関連する情報が記憶されている。
【００３６】
前記初段信号処理回路基板３の識別情報としては、例えば、ＩＤ（Identify）番号、シリアル番号、ＲＯＭ１２のバージョン等が挙げられる。
【００３７】
前記撮像方式に関する情報としては、例えば、モノクロ（白黒）面順次撮像方式やカラー単板撮像方式のような撮像方式（信号処理方式）、対応する内視鏡２のＣＣＤイメージセンサ６８の種類、前記ＣＣＤイメージセンサ６８の信号出力ゲイン、前記ＣＣＤイメージセンサ６８の信号の転送タイミング、ＲＧＢ回転フィルタ６３の有無等が挙げられる。
【００３８】
また、初段信号処理回路基板３の基板３８には、初段信号処理回路基板３を光源装置本体１０に装着した際に、光源装置本体１０のコネクタ用孔５およびライトガイド用孔７に対応する位置に、それぞれ、この初段信号処理回路基板３と内視鏡２との電気的接続を図るための円柱状のスコープコネクタ（プロセッサ側スコープコネクタ）１４および内視鏡２を光源装置１に装着する際、内視鏡２の後述するライトコネクタ４２が挿入されるライトガイド用開口１５が設けられている。この場合、ライトガイド用開口１５は、スコープコネクタ１４の近傍に配置されている。初段信号処理回路基板３を光源装置本体１０に装着すると、コネクタ用孔５を介して外部とスコープコネクタ１４とが連通するとともに、ライトガイド用孔７を介して外部とライトガイド用開口１５とが連通する。なお、スコープコネクタ１４は、初段信号処理回路基板３の所定の回路に電気的に接続されている。
【００３９】
前記スコープコネクタ１４は、基板３８上にて、初段信号処理回路１１の近傍に位置し、また、前記カードエッジ１３は、基板３８上にて、初段信号処理回路１１の近傍に位置している。これにより、スコープコネクタ１４と初段信号処理回路１１とを導通させるパターンや導電線の長さ（結線距離）を短くすることができるとともに、カードエッジ１３と初段信号処理回路１１とを導通させるパターンや導電線の長さ（結線距離）を短くすることができ、これにより、後述する不要輻射やノイズを低減（または防止）することができる。
【００４０】
さらに詳しくは、前記モノクロ面順次撮像方式に対応する初段信号処理回路１１を有する初段信号処理回路基板３は、図４（ａ）に示すように構成されている。
【００４１】
スコープコネクタ１４は、複数のコネクタピン２１と、その中心部に設けられ、ＣＣＤイメージセンサからのモノクロ映像信号等を伝送するための１つの映像信号用同軸コネクタ２０とを備えている。前記コネクタピン２１は、前記モノクロ映像信号以外の所定の信号、例えば、スコープコネクタ１４に接続された内視鏡２の型式（種類）等、その内視鏡２のＥＥＰＲＯＭ８７から読み出された情報を示す信号や、光源装置１から前記内視鏡２の駆動を制御するための各種制御信号等の伝送に用いられる。
【００４２】
また、ＲＯＭ１２には、初段信号処理回路１１がモノクロ面順次撮像方式用のものであることを示す情報等が記憶されている。なお、図３には、このモノクロ面順次撮像方式に対応する初段信号処理回路１１を有する初段信号処理回路基板３が示されている。
【００４３】
これに対して、前記カラー単板撮像方式に対応する初段信号処理回路１１を有する初段信号処理回路基板３は、図４（ｂ）に示すように構成されている。
【００４４】
スコープコネクタ１４は、複数のコネクタピン２１と、その中心部に設けられ、ＣＣＤイメージセンサからの輝度信号（Ｙ）および２つの色差信号（Ｒ−Ｙ、Ｂ−Ｙ）をそれぞれ伝送するための３つの映像信号用同軸コネクタ２２とを備えている。前記コネクタピン２１は、前記輝度信号（Ｙ）および２つの色差信号（Ｒ−Ｙ、Ｂ−Ｙ）以外の所定の信号、例えば、スコープコネクタ１４に接続された内視鏡２の型式（種類）等、その内視鏡２のＥＥＰＲＯＭ８７から読み出された情報を示す信号や、光源装置１から前記内視鏡２の駆動を制御するための各種制御信号等の伝送に用いられる。
【００４５】
また、ＲＯＭ１２には、初段信号処理回路１１がカラー単板撮像方式用のものであることを示す情報等が記憶されている。
【００４６】
前記モノクロ面順次撮像方式に対応する初段信号処理回路１１を有する初段信号処理回路基板３およびカラー単板撮像方式に対応する初段信号処理回路１１を有する初段信号処理回路基板３のいずれにおいても、図３に示すように、円柱形状のスコープコネクタ１４の外周部には、リング状の有底の溝（被係合部）２５がその外周に沿って（周方向に）設けられている。
【００４７】
図２および図１０に示すように、光源装置本体１０内には、初段信号処理回路基板３のカードエッジ１３が挿入（接続）されるコネクタ９０と、初段信号処理回路基板３のカードエッジ１３をコネクタ９０に導く溝が形成された一対の基板レールガイド４、４とが設けられている。
【００４８】
前記コネクタ９０は、後述するタイミングコントロール回路６５、画像メモリ７０、モータ制御回路６１、システムコントロール回路（制御手段）５６等、光源装置本体１０の所定の回路に電気的に接続されている。
【００４９】
初段信号処理回路基板３を基板レールガイド４に沿って移動させ、カードエッジ１３をコネクタ９０に挿入すると、カードエッジ１３とコネクタ９０とが電気的に接続して初段信号処理回路基板３と光源装置本体１０とが電気的に接続されると共に、初段信号処理回路基板３が光源装置本体１０に機械的に接続される。
【００５０】
図２に示すように、光源装置本体１０のフロントパネル１ａのコネクタ用孔５の背面側（光源装置本体１０の内側）には、コネクタ受け（係合部材）６が設けられている。
【００５１】
このコネクタ受け６の側面図、正面図および背面図をそれぞれ図５（ａ）、（ｂ）および（ｃ）に示す。
【００５２】
図５に示すように、コネクタ受け６は、初段信号処理回路基板３のスコープコネクタ１４を挿入可能な空間６ａが形成された略Ｕ字状のコネクタ挿入部３０を有しており、このコネクタ挿入部３０の空間６ａの内縁部（リブ３６）と、前記スコープコネクタ１４の外周部（溝２５）とが内視鏡２の着脱方向（図２および図５（ｂ）中横方向）にて係合することにより、スコープコネクタ１４が光源装置本体１０に対して内視鏡２の着脱方向に変位するのを阻止する。
【００５３】
すなわち、コネクタ受け６は、互いに平行になるように設けられた第１のガイド片３２および第２のガイド片３３（案内部）と、第１および第２のガイド片３２、３３の図５（ａ）中右側に設けられた当接部３７とで構成された略Ｕ字状のコネクタ挿入部３０を有している。
【００５４】
当接部３７の空間６ａの内縁における図５（ａ）中右側の部分は半円状になっており、その曲率（後述するリブ３６を含まない部分の曲率）は、スコープコネクタ１４の外周最大部の曲率より若干小さい。すなわち、当接部３７の内径（後述するリブ３６を含まない部分の内径）は、スコープコネクタ１４の外径より若干大きい。
【００５５】
また、第１のガイド片３２と第２のガイド片３３の間隔（後述するリブ３６を含まない部分の間隔）は、スコープコネクタ１４の直径より若干大きい。
【００５６】
第１および第２のガイド片３２、３３および当接部３７の空間６ａの内縁部には、それぞれ、内視鏡２の着脱方向と直交する方向に突出するリブ（凸条）３６が形成されている。このリブ３６は、第１のガイド片３２の先端から第２のガイド片３３の先端まで連続的に形成されており（Ｕ字状に形成されており）、スコープコネクタ１４に設けられた溝２５と係合し得るようになっている。
【００５７】
図５（ｂ）中上下方向には、本実施例では、コネクタ受け６のリブ３６がスコープコネクタ１４の溝２５に遊びなく嵌合するようになっているが、若干の遊びがあってもよい。
【００５８】
また、図５（ｂ）中左右方向には、本実施例では、コネクタ受け６のリブ３６がスコープコネクタ１４の溝２５に遊びなく嵌合するようになっているが、若干の遊びがあってもよい。
【００５９】
また、第１および第２のガイド片３２、３３の先端部（図５（ａ）中左側の端部）の対向面には、それぞれ、図５に示すテーパ面３４が形成されている。すなわち、第１および第２のガイド片３２、３３の先端部（図５（ａ）中左側の端部）における第１のガイド片３２と第２のガイド片３３の間隔は、図５（ａ）中左側に向かって漸増している。
【００６０】
このテーパ面３４により、初段信号処理回路基板３を光源装置本体１０に装着する際のスコープコネクタ１４の空間６ａへの挿入、すなわち、リブ３６の溝２５への挿入を円滑かつ確実に行うことができる。
【００６１】
また、コネクタ受け６には、当該コネクタ受け６を光源装置本体１０にネジ止めするための４つのネジ孔３１が設けられている。すなわち、コネクタ受け６は、図２に示すようにこれらのネジ孔３１を介してネジ３５により光源装置本体１０の内側に強固にネジ止めされる（固定される）。
【００６２】
図２に示すように、内視鏡２は、接続部４０と、可撓性（柔軟性）を有する長尺物の図示しない内視鏡本体と、前記接続部４０と内視鏡本体とを接続する接続ケーブル（ユニバーサルケーブル）４３とを備えている。
【００６３】
接続部４０には、前記光源装置１との電気的接続を図るためのスコープコネクタ（内視鏡側スコープコネクタ）４１と、光源装置１との光学的接続を図るためのライトコネクタ４２とが設けられている。
【００６４】
図７に示すように、前記スコープコネクタ４１は、前記接続ケーブル４３等を介して、ＣＣＤイメージセンサ（撮像素子）６８、撮像素子用ドライバ６９、ＥＥＰＲＯＭ８７等の内視鏡２の所定の回路に電気的に接続されている。
【００６５】
図２および図７に示すように、前記ライトコネクタ４２は、その内部に、内視鏡２のライトガイド（ＬＣＢ：ライトケーブルバンドル）８の一方の端部を有している。このライトガイド８は、例えば、複数本の光ファイバーを束ねて形成されている。
【００６６】
図７に示すように、前記内視鏡本体の先端部には、照明系レンズ６６、撮像レンズ（対物レンズ）６７およびＣＣＤイメージセンサ（撮像素子）６８が設置されている。また、内視鏡本体の先端部には、前記ライトガイド８の他方の端部が位置している。
【００６７】
次に、電子内視鏡装置１００における初段信号処理回路基板３の着脱の際の作用（装着手順等）と、内視鏡２の着脱の際の作用（装着手順等）とをそれぞれ説明する。
【００６８】
この電子内視鏡装置１００において、光源装置１に内視鏡２を装着（接続）する場合、それに先立ち、装着する内視鏡２に応じた１つの初段信号処理回路基板３を選択する。
【００６９】
そして、図１に示すように、光源装置本体１０の初段信号処理回路交換用扉５２を開き、選択した初段信号処理回路基板３をカードエッジ１３側から光源装置本体１０内に挿入し、装着（接続）する。
【００７０】
光源装置本体１０に初段信号処理回路基板３を装着する場合、図２に示すように初段信号処理回路基板３の上端部３ａおよび下端部３ｂを基板レールガイド４に係合させ、初段信号処理回路基板３を光源装置本体１０側に押し込む。
【００７１】
これにより、初段信号処理回路基板３は、基板レールガイド４に沿って図１中矢印の方向（図１中右側）に移動する。そして、図６に示すように、途中で、初段信号処理回路基板３のスコープコネクタ１４がコネクタ受け６の空間６ａに挿入され、この際、コネクタ受け６のリブ３６がスコープコネクタ１４の溝２５に挿入され、係合する。
【００７２】
この場合、第１および第２のガイド片３２、３３の先端部にはテーパ面３４が形成されているので、スコープコネクタ１４は、このテーパ面３４に沿って、コネクタ受け６の空間６ａに導かれる。すなわち、スコープコネクタ１４の溝２５がコネクタ受け６のリブ３６に導かれる。
【００７３】
そして、初段信号処理回路基板３は、基板レールガイド４に沿って、スコープコネクタ１４は、第１および第２のガイド片３２、３３に沿って、それぞれ、さらに図６中矢印の方向（図６中右側）に移動し、カードエッジ１３の先端部が図１０に示すコネクタ９０に当接した時点で、その移動（挿入）が一旦停止される。
【００７４】
この状態で、初段信号処理回路基板３に対してさらに挿入方向へ力を加えると、初段信号処理回路基板３のカードエッジ１３がコネクタ９０に電気的に接続されると共に、図６に示すように、スコープコネクタ１４がコネクタ受け６の当接部３７に当接し、初段信号処理回路基板３が光源装置本体１０に対して位置決めされる。すなわち、初段信号処理回路基板３が光源装置本体１０に装着される。
【００７５】
この初段信号処理回路基板３が光源装置本体１０に装着された状態では、コネクタ受け６のリブ３６が、スコープコネクタ１４の略半周に渡ってその溝２５と係合する。
この後、初段信号処理回路交換用扉５２を閉じる。
【００７６】
このように、初段信号処理回路基板３の装着の際は、初段信号処理回路基板３は、基板レールガイド４の他、第１および第２のガイド片３２、３３によって装着位置まで導かれるので、装着をより円滑かつ確実に行うことができる。
【００７７】
また、光源装置本体１０から初段信号処理回路基板３を取り外す場合には、初段信号処理回路交換用扉５２を開き、初段信号処理回路基板３を光源装置本体１０から引き抜き、初段信号処理回路交換用扉５２を閉じる。
【００７８】
なお、初段信号処理回路基板３を装着する際と、初段信号処理回路基板３を取り外す際は、それぞれ、電源スイッチ（メインスイッチ）をオフする。
【００７９】
次に、このように初段信号処理回路基板３が装着された光源装置１に内視鏡２を装着（接続）する場合には、図２に示すように、その初段信号処理回路基板３に対応する内視鏡２の接続部４０を挟持し、スコープコネクタ４１を光源装置本体１０のコネクタ用孔５に挿入すると共に、ライトコネクタ４２をライトガイド用孔７に挿入して、接続部４０を図２に示す矢印Ａ方向（光源装置本体１０側）に押し込む。
【００８０】
これにより、スコープコネクタ４１およびライトコネクタ４２が、図２に示す矢印Ａ方向に移動し、スコープコネクタ４１とスコープコネクタ１４とが接続され、光源装置１と内視鏡２との電気的および機械的接続が図られる。また、ライトコネクタ４２が初段信号処理回路基板３のライトガイド用開口１５を貫通し、ライトコネクタ４２の先端部（図２中左側の端部）が光源装置本体１０内の所定の位置に位置し、これにより、光源装置本体１０内で形成された照明光をライトガイド８を介して内視鏡２の先端部まで導光可能となる。すなわち、光源装置１と内視鏡２とが光学的に接続される。
【００８１】
また、光源装置１から内視鏡２を取り外す場合には、内視鏡２の接続部４０を挟持し、その接続部４０を図２に示す矢印Ｂ方向側に引き抜く。
【００８２】
これにより、スコープコネクタ１４とスコープコネクタ４１との接続が外れ、スコープコネクタ４１がコネクタ用孔５から引き抜かれると共に、ライトコネクタ４２がライトガイド用孔７から引き抜かれる。
【００８３】
前述したように、この電子内視鏡装置１００では、図２に示すように、初段信号処理回路基板３に実装されたスコープコネクタ１４の溝２５が、光源装置本体１０に固定的に設置されたコネクタ受け６のリブ３６に係合している。このため、内視鏡２の着脱の際に、スコープコネクタ４１からスコープコネクタ１４に対して前記矢印Ａ方向または矢印Ｂ方向（内視鏡２の着脱方向）の力や衝撃が加わっても、コネクタ受け６により、スコープコネクタ１４が光源装置本体１０に対して矢印Ａ方向または矢印Ｂ方向に変位（姿勢の変更や移動等）するのが阻止され、これにより初段信号処理回路基板３が安定的に保持される（初段信号処理回路基板３の反りやたわみ等の変形を防止することができる）。
【００８４】
すなわち、スコープコネクタ１４がコネクタ受け６によって光源装置本体１０に対して直接支持されているので、内視鏡２の着脱の際に、スコープコネクタ４１からスコープコネクタ１４に加わる力や衝撃が初段信号処理回路基板３に伝わることがなく、このため、内視鏡２の着脱により初段信号処理回路基板３が変形して、初段信号処理回路基板３が破損したり、或いは初段信号処理回路基板３の回路パターンや実装部品の変形、剥離、初段信号処理回路基板３のカードエッジ１３と光源装置本体１０のコネクタ９０との接触不良等の不都合が生じるのを防止することができる。
【００８５】
特に、図６に示すように、初段信号処理回路基板３が光源装置本体１０に装着された状態では、コネクタ受け６のリブ３６が、スコープコネクタ１４の略半周に渡ってその溝２５と係合するので、より確実に、コネクタ受け６によりスコープコネクタ１４が支持され、これにより、より確実に、前記スコープコネクタ１４の内視鏡２の着脱方向への変位を阻止することができる。
【００８６】
次に、電子内視鏡装置１００の動作説明をする。
図７は、電子内視鏡装置１００の回路構成例を示すブロック図である。なお、図７中の初段信号処理回路交換用扉５２は、概念的に記載されているので、その位置は、図１とは一致していない。
【００８７】
同図に示すように、電子内視鏡装置１００の光源装置本体１０には、所定の入力を行うためのキーボード５０および観察部位の画像（電子画像）等の表示を行うモニター（表示手段）５１が、それぞれ電気的に接続されている。そして、この電子内視鏡装置１００は、前述したモノクロ面順次撮像方式に対応する初段信号処理回路基板３と、カラー単板撮像方式に対応する初段信号処理回路基板３とを備えており、これらの初段信号処理回路基板３を選択的に光源装置本体１０に装着することにより、モノクロ面順次撮像方式およびカラー単板撮像方式のいずれにも対応し得るようになっている。
【００８８】
図７に示すように、光源装置本体１０は、書き換え可能な不揮発性のメモリ５６１を内蔵したシステムコントロール回路（制御手段）５６を有している。
【００８９】
システムコントロール回路５６は、通常、マイクロコンピュータ（ＣＰＵ）で構成され、電子内視鏡装置１００全体の制御を行う。
【００９０】
このシステムコントロール回路５６により、初段信号処理回路基板３のＲＯＭ１２に記憶されている情報（データ）に基づいて、光源装置本体１０（システムコントロール回路５６）とこの光源装置本体１０に装着される初段信号処理回路基板３とが適合するか否かを判別する第１の適合性判別手段と、光源装置本体１０に装着される初段信号処理回路基板３とこの初段信号処理回路基板３に装着される内視鏡２とが適合するか否かを判別する第２の適合性判別手段の主機能が達成される。
【００９１】
なお、前記メモリ５６１は、例えば、不図示のバッテリーでバックアップされているＲＡＭで構成されている。
【００９２】
また、メモリ５６１には、光源装置本体１０（システムコントロール回路５６）に対応する（適合する）初段信号処理回路基板３の識別情報（対応する初段信号処理回路基板３の種類に関するデータベース情報）として、対応する初段信号処理回路基板３のＩＤ番号のデータベース情報が予め記憶されている。
【００９３】
図７に示すように、内視鏡２には、その内視鏡２の型式（種類）やＣＣＤイメージセンサ（撮像素子）６８の種類（モノクロ、カラー等）に関する情報（内視鏡２の識別情報）等、その内視鏡２に固有の情報が記憶されたＥＥＰＲＯＭ（書き換え可能な不揮発性のメモリ）８７が設けられている。この内視鏡２は、スコープコネクタ４１に接続されたスコープコネクタ１４のコネクタピン２１を介して、前記情報（信号）を光源装置１（光源装置本体１０）側へ出力可能な構成となっている。
【００９４】
一方、光源装置１は、コネクタピン２１を介して内視鏡２側から入力される前記信号が、スコープコネクタ１４のコネクタピン２１と、初段信号処理回路１１における前記コネクタピン２１とカードエッジ１３とを導通させるパターン（導通パターン）と、カードエッジ１３と、コネクタ９０とを介して、システムコントロール回路５６に入力可能な構成となっている。この場合、コネクタピン２１を介して内視鏡２側から入力される前記信号は、映像信号と直接的な関連性がないので、その信号には、初段信号処理回路１１により信号処理が施されないように構成されている。
【００９５】
すなわち、コネクタピン２１を介して内視鏡２側から入力される前記信号は、前記導通パターンを通り（実質的に初段信号処理回路１１を素通りし）、カードエッジ１３およびコネクタ９０を介して、システムコントロール回路５６に入力される。
【００９６】
システムコントロール回路５６は、各コネクタ接続部分（内視鏡２側のスコープコネクタ４１と光源装置１側のスコープコネクタ１４、カードエッジ１３とコネクタ９０）と、コネクタピン２１とカードエッジ１３の導通パターンとを介して、内視鏡２のＥＥＰＲＯＭ８７と通信可能であり、スコープコネクタ１４に接続されている内視鏡２のＥＥＰＲＯＭ８７から前記情報を必要に応じて読み出し、接続されている内視鏡２の型式（種類）や、ＣＣＤイメージセンサ６８の種類および駆動方式等を把握できるようになっている。
【００９７】
また、スコープコネクタ１４の複数のコネクタピン２１のうちの１つ（検出用のコネクタピン２１）は、導通パターンによりカードエッジ１３の１つの端子に接続されており、光源装置本体１０のコネクタ９０におけるこの端子に対応するピン受け部は、プルアップ抵抗を介して所定の大きさの電圧が印加されてプルアップされた状態になっている（図示せず）。システムコントロール回路５６は、前記ピン受け部に電気的に接続されており、このピン受け部の電圧レベル、すなわち、前記検出用のコネクタピン２１の電圧レベルを検出し、これにより内視鏡２の装着の有無を判別する。
【００９８】
内視鏡２が光源装置１に装着されていないとき（未装着時）は、前記検出用のコネクタピン２１の電圧レベルがハイレベル（Ｈ）になり、内視鏡２が光源装置１に装着されているとき（装着時）は、前記検出用のコネクタピン２１の電圧レベルがローレベル（Ｌ）になる。
【００９９】
また、図７および図１０に示すように、光源装置本体１０は、初段信号処理回路基板３の装着の有無を検出する基板検出器（検出手段）５５を有している。
【０１００】
この基板検出器５５は、一端がコネクタ９０に電気的に接続され、他端に電圧Ｖが印加されているプルアップ抵抗５５１を有し、このプルアップ抵抗５５１の一端の電位（電圧）を検出する方式の検出器である。
【０１０１】
初段信号処理回路基板３が光源装置本体１０に装着されていないとき（未装着時）は、基板検出器５５からシステムコントロール回路（制御手段）５６に入力される基板検出信号のレベル（電圧レベル）がハイレベル（Ｈ）になり、初段信号処理回路基板３が光源装置本体１０に装着されているとき（装着時）は、前記基板検出信号のレベルがローレベル（Ｌ）になる。システムコントロール回路５６は、前記基板検出信号に基づいて、初段信号処理回路基板３が光源装置本体１０に装着されているか否かを判別する。
【０１０２】
初段信号処理回路基板３を光源装置本体１０に装着して、フロントパネルスイッチ７３の図示しない電源スイッチ（メインスイッチ）をオンすると、システムコントロール回路５６は、初段信号処理回路基板３のＲＯＭ１２に記憶されている情報のうちの必要な情報を読み出す。
【０１０３】
システムコントロール回路５６は、前記ＲＯＭ１２から読み出した情報をメモリ５６１に記憶する。
【０１０４】
この場合、既に、メモリ５６１に情報が記憶されているときは、前記メモリ５６１に記録されている情報と、前記ＲＯＭ１２から読み出した情報とを比較し、同じ場合には、前記メモリ５６１に記録されている情報を維持し、異なる場合には、前記メモリ５６１に記録されている情報を前記ＲＯＭ１２から読み出した情報に書き換える。
【０１０５】
なお、初段信号処理回路基板３が別の基板に交換された場合には、前記メモリ５６１に記録されている情報と、前記ＲＯＭ１２から読み出した情報とが異なる。
【０１０６】
まず、図７等に基づいて、カラー単板撮像方式に対応する初段信号処理回路１１を有する初段信号処理回路基板３が装着された場合の動作を説明する。
【０１０７】
システムコントロール回路５６は、メモリ５６１から撮像方式に関する情報を読み出し、その情報に基づいて、装着されている初段信号処理回路基板３に対応する撮像方式等を把握する。
【０１０８】
この場合、カラー単板撮像方式に対応する初段信号処理回路基板３が装着されているので、システムコントロール回路５６は、撮像方式を「カラー単板撮像方式」と把握し、カラー単板撮像方式用の設定を行う。
【０１０９】
前記設定の一つとして、システムコントロール回路５６は、フィルタ移動機構７２を駆動制御して、モータ６２およびＲＧＢ回転フィルタ６３を、絞り６０からライトガイド８の一端に集光される光（光束）の光路から離間した所定の位置へ退避させる。
【０１１０】
システムコントロール回路５６は、白色光を発光する光源５７を発光駆動すると共に、モータ制御回路５８を介してモータ５９を回転駆動し、絞り６０の開口部を適切な開口量（絞り値）に調整する。
光源５７としては、例えば、ハロゲンランプ等を用いることができる。
【０１１１】
光源５７から出射した光は、集光レンズ６４で集光され、絞り６０を介してライトコネクタ４２のライトガイド８の一端に照射される。
【０１１２】
このライトガイド８の一端に照射された光は、ライトガイド８によりその他端に導かれ、その他端から照明系レンズ６６を介して被検体の所定の部位に照射される。
【０１１３】
この場合、前記ライトガイド８の他端から出射した光は、照明系レンズ６６により、所定の照射範囲に照射されるように調整され、これにより撮像範囲（観察部位）を含む領域に照射される。
【０１１４】
前記照射光により照射された撮像範囲からの反射光は、撮像レンズ６７により、所定のカラーフィルタを備えたＣＣＤイメージセンサ６８の受光面に結像するように導かれ、この撮像範囲の像（被写体像）は、そのＣＣＤイメージセンサ６８により撮像される。
【０１１５】
ＣＣＤイメージセンサ６８は、タイミングコントロール回路６５からの撮像素子駆動信号に基づいて駆動する撮像素子用ドライバ回路６９により駆動制御され、所定のタイミングで撮像して、輝度信号（Ｙ）および２つの色差信号（Ｒ−Ｙ、Ｂ−Ｙ）をそれぞれ生成する。
【０１１６】
ＣＣＤイメージセンサ６８からの輝度信号（Ｙ）および各色差信号（Ｒ−Ｙ、Ｂ−Ｙ）は、それぞれ、信号線（ＣＣＤケーブル）、スコープコネクタ４１および１４を介して初段信号処理回路１１に入力される。
【０１１７】
カラー単板撮像方式に対応する初段信号処理回路１１は、図８に示す構成となっており、ＣＣＤイメージセンサ６８からの輝度信号（Ｙ）、色差信号（Ｒ−Ｙ）および色差信号（Ｂ−Ｙ）は、それぞれ、各信号用のプリアンプ７５ａ、７５ｂおよび７５ｃにより所定の利得で増幅され、各信号用のビデオフィルタ７６ａ、７６ｂおよび７６ｃによりフィルタリング処理され、マトリクス回路７７に入力される。
【０１１８】
マトリクス回路７７は、コンポジット映像信号として供給される各信号を、Ｒ（赤）、Ｇ（緑）、Ｂ（青）のコンポーネント映像信号に変換して出力する。
【０１１９】
マトリクス回路７７からのＲ信号、Ｇ信号およびＢ信号は、それぞれ、各信号用のアンプ７８Ｒ、７８Ｇおよび７８Ｂにより所定の利得で増幅され、各信号用のガンマ補正回路７９Ｒ、７９Ｇおよび７９Ｂにより補正され、Ａ／Ｄ変換器８０に入力される。
【０１２０】
Ａ／Ｄ変換器８０は、アナログの信号形態で供給されたＲ信号、Ｇ信号およびＢ信号を、それぞれ、デジタルの信号形態に変換し、これらをそれぞれ図７に示すタイミングコントロール回路６５に出力する。
【０１２１】
タイミングコントロール回路６５は、Ｒ信号、Ｇ信号およびＢ信号を、それぞれ、Ｒ信号用メモリ、Ｇ信号用メモリおよびＢ信号用メモリで構成される画像メモリ７０に一旦書き込み、これらを所定のタイミングで読み出して、後段映像信号処理回路７１に出力する。
【０１２２】
後段映像信号処理回路７１は、内蔵する図示しないＤ／Ａ変換器により、デジタルの信号形態で供給されたＲ信号、Ｇ信号およびＢ信号を、それぞれ、アナログの信号形態に変換し、さらに、これらに所定のビデオプロセス処理を施すことにより、所定の形態のテレビジョン信号を生成し、コネクタ９１を介してモニター５１に出力する。
【０１２３】
モニター５１には、ＣＣＤイメージセンサ６８で撮像されたカラーの画像（電子画像）、すなわち、カラーの動画の内視鏡画像が表示される。
【０１２４】
なお、後段映像信号処理回路７１は、色バランス（主にＲとＢ）を調整する機能を有する。この色バランスは、フロントパネルスイッチ７３の色バランス調整スイッチを操作して、所望の値に設定することができる。
【０１２５】
また、前述したように、この後段映像信号処理回路７１とシステムコントロール回路５６とで構成された情報生成手段は、モニター５１に所定の情報を電子画像として表示するための信号を生成し、コネクタ９１を介して出力することができ、これにより、モニター５１には、必要に応じて所定の情報（例えば、キーボード５０から入力したキャラクタ、初段信号処理回路基板３のＲＯＭ１２に記憶されている情報、エラー情報等の報知用情報）が表示される。なお、この情報の表示については、後に詳述する。
【０１２６】
また、画像メモリ７０に書き込まれている同一画像のＲ信号、Ｇ信号およびＢ信号を、それぞれ、繰り返し読み出して後段映像信号処理回路７１に出力することにより、モニター５１に表示される内視鏡画像を静止画にすることも可能である。
【０１２７】
次に、図７等に基づいて、モノクロ面順次撮像方式に対応する初段信号処理回路１１を有する初段信号処理回路基板３が装着された場合の動作を説明する。
【０１２８】
システムコントロール回路５６は、メモリ５６１から撮像方式に関する情報を読み出し、その情報に基づいて、装着されている初段信号処理回路基板３に対応する撮像方式等を把握する。
【０１２９】
この場合、モノクロ面順次撮像方式に対応する初段信号処理回路基板３が装着されているので、システムコントロール回路５６は、撮像方式を「モノクロ面順次撮像方式」と把握し、モノクロ面順次撮像方式用の設定を行う。
【０１３０】
前記設定の一つとして、システムコントロール回路５６は、フィルタ移動機構７２を駆動制御して、モータ６２およびＲＧＢ回転フィルタ６３を図７に示す位置、すなわち、絞り６０からライトガイド８の一端に集光される光（光束）の光路上にＲＧＢ回転フィルタ６３が位置する位置に移動させる。
【０１３１】
システムコントロール回路５６は、白色光を発光する光源５７を発光駆動すると共に、モータ制御回路５８を介してモータ５９を回転駆動し、絞り６０の開口部を適切な開口量（絞り値）に調整する。
【０１３２】
光源５７から出射した光は、集光レンズ６４で集光され、絞り６０およびＲＧＢ回転フィルタ６３を介してライトコネクタ４２のライトガイド８の一端に照射される。
【０１３３】
一方、タイミングコントロール回路６５からモータ制御回路６１に所定の周波数のタイミングパルスが入力される。モータ制御回路６１は、このタイミングパルスのタイミングで、回転軸にＲＧＢ回転フィルタ６３が設置されているモータ６２を回転駆動する。例えば、タイミングパルスの周波数が３０Ｈｚの場合には、モータ制御回路６１は、モータ６２、すなわちＲＧＢ回転フィルタ６３を、１秒間に３０回転させる。
【０１３４】
また、ＲＧＢ回転フィルタ６３の全フィルタ領域は、その中心から放射状に伸びる３本の直線により、扇状の３つの領域を形成するように３等分割されている。前記各フィルタ領域には、それぞれ、赤色の光のみを透過させるＲ（赤）用色フィルタ、緑色の光のみを透過させるＧ（緑）用色フィルタ、青色の光のみを透過させるＢ（青）用色フィルタが設けられている。
【０１３５】
従って、モータ６２が前記タイミングパルスに基づいて回転駆動されることにより、ＲＧＢ回転フィルタ６３によって、絞り６０からの白色光が、前記タイミングパルスの周波数で、順次、赤色光、緑色光および青色光に変換され、ライトガイド８の一端に照射される。例えば、タイミングパルスの周波数が３０Ｈｚの場合には、１秒間に、赤色光、緑色光および青色光が、それぞれ、ライトガイド８の一端に３０回照射される。
【０１３６】
このライトガイド８の一端に照射された光は、ライトガイド８によりその他端に導かれ、その他端から照明系レンズ６６を介して被検体の所定の部位に照射される。
【０１３７】
この場合、前記ライトガイド８の他端から出射した光は、照明系レンズ６６により、所定の照射範囲に照射されるように調整され、これにより撮像範囲（観察部位）を含む領域に照射される。
【０１３８】
前記照射光により照射された撮像範囲からの反射光は、撮像レンズ６７により、カラーフィルタを備えていないＣＣＤイメージセンサ６８の受光面に結像するように導かれ、この撮像範囲の像（被写体像）は、そのＣＣＤイメージセンサ６８により撮像される。
【０１３９】
ＣＣＤイメージセンサ６８は、タイミングコントロール回路６５からの撮像素子駆動信号に基づいて駆動する撮像素子用ドライバ回路６９により駆動制御され、所定のタイミングで撮像して、モノクロ映像信号を生成する。
【０１４０】
この撮像は、赤色光、緑色光および青色光が照射されているときに、各々行われ、赤色光に対応するモノクロ映像信号（Ｒ信号）、緑色光に対応するモノクロ映像信号（Ｇ信号）および青色光に対応するモノクロ映像信号（Ｂ信号）が順次生成される。例えば、タイミングパルスの周波数が３０Ｈｚの場合には、１秒間に、９０回撮像が行われる。
【０１４１】
ＣＣＤイメージセンサ６８からのモノクロ映像信号は、信号線（ＣＣＤケーブル）、スコープコネクタ４１および１４を介して初段信号処理回路１１に入力される。
【０１４２】
モノクロ面順次撮像方式に対応する初段信号処理回路１１は、図９に示す構成となっており、ＣＣＤイメージセンサ６８からのモノクロ映像信号は、プリアンプ８１により所定の利得で増幅され、ビデオフィルタ８２によりフィルタリング処理され、サンプルホールド回路（Ｓ／Ｈ回路）８３に入力される。
【０１４３】
サンプルホールド回路８３は、いわゆる相関二重サンプリング法に基づいてモノクロ映像信号をサンプリング処理することにより、そのモノクロ映像信号からノイズ成分を除去して出力する。
【０１４４】
サンプルホールド回路８３からのモノクロ映像信号は、アンプ８４により所定の利得で増幅され、ガンマ補正回路８５により補正され、Ａ／Ｄ変換器８６に入力される。
【０１４５】
Ａ／Ｄ変換器８６は、アナログの信号形態で供給されたモノクロ映像信号をデジタルの信号形態に変換し、これを図７に示すタイミングコントロール回路６５に出力する。
【０１４６】
タイミングコントロール回路６５は、赤色光に対応するモノクロ映像信号（Ｒ信号）、緑色光に対応するモノクロ映像信号（Ｇ信号）および青色光に対応するモノクロ映像信号（Ｂ信号）を、順次、Ｒ信号用メモリ、Ｇ信号用メモリおよびＢ信号用メモリで構成される画像メモリ７０に一旦書き込み、これらを所定のタイミングで読み出して、後段映像信号処理回路７１に出力する。
【０１４７】
後段映像信号処理回路７１は、内蔵する図示しないＤ／Ａ変換器により、デジタルの信号形態で供給されたＲ信号、Ｇ信号およびＢ信号を、それぞれ、アナログの信号形態に変換し、さらに、これらに所定のビデオプロセス処理を施すことにより、所定の形態のテレビジョン信号を生成し、コネクタ９１を介してモニター５１に出力する。
【０１４８】
モニター５１には、ＣＣＤイメージセンサ６８で撮像されたカラーの画像（電子画像）、すなわち、カラーの動画の内視鏡画像が表示される。
【０１４９】
なお、前記カラー単板撮像方式に対応する初段信号処理回路基板３が装着された場合と同様に、モニター５１に表示される内視鏡画像を静止画にすることも可能であり、また、モニター５１には、必要に応じて所定の情報が表示される。
【０１５０】
次に、モニター５１に情報を表示する際の光源装置１の動作を説明する。
図１１、図１２、図１３、図１４および図１５は、システムコントロール回路５６の制御動作を示すフローチャートである。以下、このフローチャートに基づいて説明する。
【０１５１】
電源スイッチをオンすると、図１１に示すフローチャート（プログラム）がスタートし、ステップＳ１０１に進む。
【０１５２】
まず、基板検出器５５からの基板検出信号のレベル（初段信号処理回路基板３の検知ポートのロジックレベル）を検出する（ステップＳ１０１）。
【０１５３】
次いで、前記基板検出信号のレベルが、ローレベル（Ｌ）か否かを判断し（ステップＳ１０２）、ハイレベル（Ｈ）と判断した場合には、初段信号処理回路基板３の未装着状態を意味するので、エラー表示（エラー情報の表示）▲１▼を行う（ステップＳ１０３）。
【０１５４】
このステップＳ１０３では、図１６に示すように、モニター５１の画面５１０に、「［警告］初段信号処理回路基板が装着されていません！」、「一度プロセッサの電源を落として、初段信号処理回路基板を装着して下さい。」というエラー情報を表示する。
【０１５５】
この表示により、作業者は、前記エラーに対して、迅速かつ確実に対処することができる。
【０１５６】
また、前記ステップＳ１０３において前記基板検出信号のレベルがローレベル（Ｌ）と判断した場合、すなわち、初段信号処理回路基板３が装着されている場合には、基板装着時の起動処理を行う（ステップＳ１０４）。なお、このステップＳ１０４の基板装着時の起動処理（サブルーチン）は、後で説明する。
【０１５７】
次いで、システムの初期化を行う（ステップＳ１０５）。
このステップＳ１０５では、例えば、前回の起動時（前回の電源オン時）における各機能の設定値の復元等の処理を行う。
【０１５８】
次いで、主処理へ移行し、所定の終了条件を満たすまで、主処理のループを繰り返し実行する。
【０１５９】
この主処理では、例えば、光源５７の点灯や各機能に対する定型処理（例えば、図示しないタイマーのカウント等）、割り込み処理（例えば、キー入力等）を実行する。
【０１６０】
次に、前記ステップＳ１０４の基板装着時の起動処理（サブルーチン）を説明する。
【０１６１】
図１２に示すように、まず、初段信号処理回路基板３のＲＯＭ１２内のデータの読み取り処理を行う（ステップＳ２０１）。
【０１６２】
図１３に示すように、この初段信号処理回路基板３のＲＯＭ１２内のデータの読み取り処理では、まず、エラーフラグ（Ｅｒｒ）を初期化する（Ｅｒｒ＝０）（ステップＳ３０１）。
【０１６３】
次いで、システムコントロール回路５６に内蔵されたメモリ（ＲＡＭ）５６１に対し、変数Ａ１、Ｂ１（ｉ）およびＣ１（ｉ）のメモリ割り付けを行う（ステップＳ３０２）。なお、Ｂ１（ｉ）およびＣ１（ｉ）は、それぞれ、配列変数であり、そのｉは、自然数とする。
【０１６４】
次いで、ＲＯＭ１２から初段信号処理回路基板３のＩＤ番号を読み出し、そのＩＤ番号を変数Ａ１として記憶する（ステップＳ３０３）。
【０１６５】
なお、前回の起動時に装着されていた初段信号処理回路基板３の前記変数Ａ１に対応するデータは、メモリ５６１に、変数Ａ０として記憶されている。
【０１６６】
次いで、前記ＲＯＭ１２から読み出した初段信号処理回路基板３のＩＤ番号に基づいて、装着された初段信号処理回路基板３が光源装置本体１０（システムコントロール回路５６）に適合するものか否かを判断する（ステップＳ３０４）。
【０１６７】
このステップＳ３０４では、システムコントロール回路５６のメモリ５６１に予め記憶されている光源装置本体１０に対応する（適合する）初段信号処理回路基板３のＩＤ番号のデータベース内のＩＤ番号と、前記ＲＯＭ１２から読み出した初段信号処理回路基板３のＩＤ番号とを照合し、前記ＲＯＭ１２から読み出した初段信号処理回路基板３のＩＤ番号が前記データベース内のいずれかのＩＤ番号と一致する場合（データベース内に該当するＩＤ番号が存在する場合）には、装着された初段信号処理回路基板３は光源装置本体１０に使用可能なものと認識して、「適合」とし、前記ＲＯＭ１２から読み出した初段信号処理回路基板３のＩＤ番号が前記データベース内のいずれのＩＤ番号とも一致しない場合（データベース内に該当するＩＤ番号が存在しない場合）には、装着された初段信号処理回路基板３は光源装置本体１０に使用不可能なものと認識して、「不適合（異常）」とする。
【０１６８】
前記ステップＳ３０４において不適合（異常）と判断した場合には、エラーフラグ（Ｅｒｒ）を立てる（Ｅｒｒ＝１）（ステップＳ３０５）。すなわち、エラー有りとする。
【０１６９】
また、前記ステップＳ３０４において適合と判断した場合（この場合は、エラー無しとし、Ｅｒｒ＝０を維持する）、または、前記ステップＳ３０５の後、図１２に示すフローチャートのステップＳ２０２に戻る。
【０１７０】
次いで、エラーが有るか否か、すなわち、Ｅｒｒ＝１か否かを判断する（ステップＳ２０２）。
【０１７１】
前記ステップＳ２０２においてエラーが有ると判断した場合には、エラー表示▲２▼を行う（ステップＳ２０３）。
【０１７２】
このステップＳ２０３では、図１７に示すように、モニター５１の画面５１０に、「装着されている初段信号処理回路基板は本プロセッサには使用できません。」、「プロセッサの電源を落として、本プロセッサに適合する初段信号処理回路基板を装着して下さい。」というエラー情報を表示する。
【０１７３】
この表示により、作業者は、前記エラーに対して、迅速かつ確実に対処することができる。
【０１７４】
また、前記ステップＳ２０２においてエラーが無いと判断した場合には、ＲＯＭ１２から初段信号処理回路基板３に対応する内視鏡２の型式（スコープ型式）のデータベースを読み出し、そのデータベースを変数Ｂ１（ｉ）として記憶する（ステップＳ２０４）。
【０１７５】
次いで、ＲＯＭ１２から初段信号処理回路基板３に対応する撮像方式に関する個別データベースを読み出し、その個別データベースを変数Ｃ１（ｉ）として記憶する（ステップＳ２０５）。
【０１７６】
なお、前回の起動時に装着されていた初段信号処理回路基板３の前記変数Ｂ１（ｉ）およびＣ１（ｉ）に対応するデータは、メモリ５６１に、それぞれ、変数Ｂ０（ｉ）およびＣ０（ｉ）として記憶されている。
【０１７７】
次いで、メモリ５６１（システムコントロール回路５６側）のデータとＲＯＭ１２（初段信号処理回路基板３側）のデータの比較・更新処理を行う（ステップＳ２０６）。
【０１７８】
図１４に示すように、このメモリ５６１（システムコントロール回路５６側）のデータとＲＯＭ１２（初段信号処理回路基板３側）のデータの比較・更新処理では、まず、更新フラグ（Ｎ）を初期化する（Ｎ＝０）（ステップＳ４０１）。
【０１７９】
次いで、Ａ０＝Ａ１か否か、すなわち、前回の起動時に装着されていた初段信号処理回路基板３のＩＤ番号と現在装着されている初段信号処理回路基板３のＩＤ番号とが一致するか否かを判断する（ステップＳ４０２）。
【０１８０】
前記ステップＳ４０２においてＡ０＝Ａ１ではないと判断した場合、すなわち、前回の起動時に装着されていた初段信号処理回路基板３のＩＤ番号と現在装着されている初段信号処理回路基板３のＩＤ番号とが一致しないと判断した場合には、Ａ０、Ｂ０（ｉ）およびＣ０（ｉ）のデータをそれぞれＡ１、Ｂ１（ｉ）およびＣ１（ｉ）のデータに書き換える（ステップＳ４０３）。
【０１８１】
このステップＳ４０３により、現在装着されている初段信号処理回路基板３のＩＤ番号が変数Ａ０、この初段信号処理回路基板３に対応する内視鏡２の型式（スコープ型式）のデータベースが変数Ｂ０（ｉ）、この初段信号処理回路基板３に対応する撮像方式に関する個別データベースが変数Ｃ０（ｉ）として、それぞれ記憶される。
次いで、更新フラグ（Ｎ）を立てる（Ｎ＝１）（ステップＳ４０４）。
【０１８２】
前記ステップＳ４０４の後、または、前記ステップＳ４０２においてＡ０＝Ａ１と判断した場合には、図１２に示すフローチャートのステップＳ２０７に戻る。
【０１８３】
次いで、初段信号処理回路基板３は新規か否か、すなわち、Ｎ＝１か否かを判断する（ステップＳ２０７）。
【０１８４】
前記ステップＳ２０７において初段信号処理回路基板３は新規でないと判断した場合には、図１１に示すフローチャートのステップＳ１０５に戻り、前述したようにステップＳ１０５以降を実行する。
【０１８５】
また、前記ステップＳ２０７において初段信号処理回路基板３は新規であると判断した場合には、初段信号処理回路基板３の仕様データ表示を行う（ステップＳ２０８）。
【０１８６】
図１５に示すように、この初段信号処理回路基板３の仕様データ表示では、前記メモリ５６１から、Ａ１、Ｂ１（ｉ）およびＣ１（ｉ）のデータを読み出し、それに基づいて、初段信号処理回路基板３のＩＤ番号、対応するスコープ型式（スコープ型式名称）および撮像方式に関する個別データ（撮像方式個別データ）をそれぞれ表示する（ステップＳ５０１）。
【０１８７】
このステップＳ５０１では、図１９に示すように、モニター５１の画面５１０に、型名（ＩＤ番号）、シリアル番号、ＲＯＭバージョンおよびサポートスコープ一覧表（対応するスコープ型式を示す表）をそれぞれ表示する。
【０１８８】
なお、図１９に示す例では、型名：ＦＳＰ−Ａ−０１、シリアル番号：０００１、ＲＯＭバージョン：２．１１、サポートスコープ一覧表：ＥＢ−１９００、ＥＣ−３８３０等が表示されている。
【０１８９】
前記型名の「ＦＳＰ−Ａ−０１」の意味は、下記通りである。
「ＦＳＰ」は、First Signal Processing の頭文字を示す。
【０１９０】
「Ａ」は、撮像方式を示す。この場合、「Ａ」は、モノクロ面順次撮像方式、「Ｂ」は、カラー単板撮像方式を示す。
【０１９１】
「０１」は、各撮像方式における機種番号を示す。この機種番号は、新製品が追加される度に１つ増加する。
【０１９２】
この表示により、作業者は、装着された初段信号処理回路基板３の種類や、この初段信号処理回路基板３に対応する内視鏡２の型式（種類）等の初段信号処理回路基板３の仕様を容易かつ確実に把握することができ、これにより、例えば、内視鏡２の装着前に、装着予定の内視鏡２が適合するか否かを判断することができる。これにより、適合しない内視鏡２の装着を未然に防止することができる。
【０１９３】
前記ステップＳ５０１の後、図１２に示すフローチャートのステップＳ２０９に戻る。
次いで、更新フラグ（Ｎ）を初期化する（Ｎ＝０）（ステップＳ２０９）。
【０１９４】
次いで、光源装置１（プロセッサ）に内視鏡２が装着されているか否かを判断する（ステップＳ２１０）。
【０１９５】
このステップＳ２１０では、前述した検出用のコネクタピン２１の電圧レベルを検出し、前記検出用のコネクタピン２１の電圧レベルがハイレベル（Ｈ）の場合には、「内視鏡２が未装着」とし、前記検出用のコネクタピン２１の電圧レベルがローレベル（Ｌ）の場合には、「内視鏡２が装着」とする。
【０１９６】
前記ステップＳ２１０において光源装置１に内視鏡２が装着されていないと判断した場合には、図１１に示すフローチャートのステップＳ１０５に戻り、前述したようにステップＳ１０５以降を実行する。
【０１９７】
また、前記ステップＳ２１０において光源装置１に内視鏡２が装着されていると判断した場合には、スコープ型式のデータベースＢ１（ｉ）に対し、装着されている内視鏡２のスコープ型式（スコープ型式名称）を検索する（ステップＳ２１１）。
【０１９８】
すなわち、このステップＳ２１１では、装着されている内視鏡２のＥＥＰＲＯＭ８７からその内視鏡２のスコープ型式を読み出し、そのスコープ型式と前記スコープ型式のデータベースＢ１（ｉ）とを照合する。
【０１９９】
次いで、スコープ型式のデータベースＢ１（ｉ）に、装着されている内視鏡２のスコープ型式（スコープ型式名称）が有るか否か、すなわち、初段信号処理回路基板３と装着された内視鏡２とが適合するか否かを判断する（ステップＳ２１２）。
【０２００】
前記ステップＳ２１２において、スコープ型式データベースＢ１（ｉ）に、装着されている内視鏡２のスコープ型式が無い（装着されている内視鏡２のスコープ型式が、スコープ型式のデータベースＢ１（ｉ）内のいずれのスコープ型式とも一致しない）と判断した場合、すなわち初段信号処理回路基板３と装着された内視鏡２とが適合しないと判断した場合には、エラー表示▲３▼を行う（ステップＳ２１３）。
【０２０１】
このステップＳ２１３では、図１８に示すように、モニター５１の画面５１０に、「装着された初段信号処理回路基板では、本スコープをサポートしていません。」、「本スコープをサポートした基板をご使用下さい。」、「サポート対応表については、当社サービスセンターにご連絡下さい。」というエラー情報を表示するとともに、サポートスコープ一覧表（例えば、ＥＢ−１９００、ＥＣ−３８３０等）を表示する。
【０２０２】
この表示により、作業者は、前記エラーに対して、迅速かつ確実に対処することができる。また、装着されている初段信号処理回路基板３に対応する内視鏡２の型式を容易かつ確実に把握することができる。
【０２０３】
また、前記ステップＳ２１２において、スコープ型式データベースＢ１（ｉ）に、装着されている内視鏡２のスコープ型式が有る（装着されている内視鏡２のスコープ型式が、スコープ型式のデータベースＢ１（ｉ）内のいずれかのスコープ型式と一致する）と判断した場合、すなわち初段信号処理回路基板３と装着された内視鏡２とが適合すると判断した場合には、図１１に示すフローチャートのステップＳ１０５に戻り、前述したようにステップＳ１０５以降を実行する。
なお、前述した主処理を終了すると、このプログラムを終了する。
【０２０４】
以上説明したように、この光源装置１によれば、初段信号処理回路基板３を交換することができるので（複数種の初段信号処理回路基板３を選択的に装着することができるので）、単一の光源装置本体１０で（光源装置全体を交換することなく）、カラー単板撮像方式およびモノクロ面順次撮像方式の両方に対応することができる。
【０２０５】
また、将来、規格、仕様、設計等の変更があった場合、例えば、ＣＣＤイメージセンサ６８の画素数が変更された場合や、信号処理方式が変更された場合（例えば、モノクロ面順次撮像方式に対応する初段信号処理回路１１のサンプルホールド回路８３が光源装置１側から内視鏡２側に移動した場合）でも、光源装置本体１０を変更せずに、初段信号処理回路基板３のみを変更することにより、それらに対応することができる。
【０２０６】
すなわち、単一の光源装置本体１０で、例えば、内視鏡２の接続ケーブル４３の長さの異なるもの、ＣＣＤイメージセンサ６８の種類や画素数が異なるもの、撮像方式が異なるもの（例えば、モノクロ面順次撮像方式、カラー単板撮像方式）、信号処理方式が異なるもの等、種々の内視鏡２に対応することができる。
【０２０７】
また、この電子内視鏡装置１００では、可能な限り、回路や機構（部品）を共用しているので、構成を簡素化することができ、また、装置の小型化に有利である。
【０２０８】
そして、この光源装置１では、モニター５１に、装着された初段信号処理回路基板３の種類や、この初段信号処理回路基板３に対応する内視鏡２の型式等の初段信号処理回路基板３の仕様と、エラー情報とが表示されるので、これらの情報を容易かつ確実に得ることができる。
【０２０９】
例えば、装着されている初段信号処理回路基板３に対応する内視鏡２の型式の一覧表の表示により、作業者は、内視鏡２の装着前に、装着予定の内視鏡２が適合するか否かを判断することができ、これにより、適合しない内視鏡２の装着を防止することができる。
【０２１０】
また、エラー情報の表示により、作業者は、エラーが生じていることや、そのエラーの内容（エラーの原因、エラーに対する対処方法等）を容易かつ確実に把握することができ、このエラーに対して迅速かつ確実に対処することができる。
【０２１１】
また、この光源装置１では、初段信号処理回路１１が設けられた基板３８にスコープコネクタ１４が実装されているので、スコープコネクタ１４と初段信号処理回路１１との距離を比較的短くすることができ、スコープコネクタ１４と初段信号処理回路１１とを導通させるパターンや導電線の長さを比較的短くすることができ、これにより、不要輻射（不要な電磁波の放出）を低減（または防止）することができる。特に、スコープコネクタ１４と初段信号処理回路１１とを極力接近させることにより、前記導通パターンや導電線の長さを最短にすることができ、これにより、より一層高い効果が得られる。また、別の機器から不要輻射が生じた場合に、その不要輻射により光源装置１が影響を受けるのを防止することができる。
【０２１２】
また、この光源装置１では、初段信号処理回路１１が設けられた基板３８にスコープコネクタ１４が実装されているので、初段信号処理回路とスコープコネクタとを別々の基板に設けて、これらを導電線等の接続ケーブルにより電気的に接続した接続ユニットの場合に比べ、構造が簡易であり、小型化が図れ、また、部品点数が少なく、製造が容易である。
【０２１３】
また、この光源装置１では、光源装置本体１０に装着された初段信号処理回路基板３に対応する設定が自動的になされるので、その操作を手動で行う場合に比べ、設定を容易かつ確実に行うことができる。
【０２１４】
以上、本発明の内視鏡用光源装置を図示の実施の形態に基づいて説明したが、本発明はこれに限定されるものではなく、各部の構成は、同様の機能を有する任意の構成のものに置換することができる。
【０２１５】
本発明では、前記実施の形態のような医療用の内視鏡装置に限らずこの他、例えば、工業用の内視鏡装置等にも適用することができる。
【０２１６】
また、本発明では、情報の表示は、液晶モニターやＣＲＴのようなモニターへの電子画像での表示に限らず、例えば、７セグメントによる表示や、ランプ等による発光表示でもよい。
【０２１７】
また、本発明では、前記表示に代えて、または、前記表示とともに、音声（例えば、ブザー）等による報知を行ってもよい。
【０２１８】
また、本発明では、表示手段が光源装置本体に設置されていてもよい。
また、本発明では、表示手段が省略されていてもよい。
【０２１９】
また、本発明では、第２の適合性判別手段は、例えば、装着予定の内視鏡の型式をキーボード５０から予め入力しておき、接続ユニットに内視鏡が装着される前（接続ユニットのコネクタに内視鏡が電気的に接続される前）に、前記入力された装着予定の内視鏡の型式と、接続ユニットに対応する内視鏡の型式とを比較して、接続ユニットと装着予定の内視鏡とが適合するか否かを判別するように構成されていてもよい。
【０２２０】
また、本発明では、光源装置本体に装着される初段信号処理回路基板（接続ユニット）は、前記実施の形態のような撮像方式（カラー単板撮像方式やモノクロ面順次撮像方式）に対応する初段信号処理回路基板には限られない。
【０２２１】
また、前記実施の形態では、スコープコネクタ１４の径や形状が同一であるが、本発明では、スコープコネクタ１４の径や形状が異なっていてもよい。
【０２２２】
また、前記実施の形態では、スコープコネクタ１４の形状は、円柱状であるが、本発明では、スコープコネクタ１４の形状は、これに限らず、例えば、四角柱等の角柱状であってもよい。
【０２２３】
また、前記実施の形態では、光源装置１に装着される内視鏡２が電子内視鏡（ビデオスコープ）であるが、本発明では、光源装置１に装着される内視鏡２がファイバー内視鏡（ファイバースコープ）であってもよく、また、光源装置１に電子内視鏡とファイバー内視鏡とをそれぞれ装着し得るように構成されていてもよい。
【０２２４】
また、本発明では、設定の一部または全部を手動操作で行うように構成してもよい。
【０２２５】
【発明の効果】
以上説明したように、本発明の内視鏡用光源装置によれば、接続ユニットを交換することができるので、内視鏡用光源装置全体を交換することなく、様々な内視鏡に対応することができる。すなわち、単一の光源装置本体で、例えば、撮像素子（ＣＣＤイメージセンサ）の種類や画素数が異なるもの、撮像方式が異なるもの（例えば、モノクロ面順次撮像方式、カラー単板撮像方式）、信号処理方式が異なるもの等、種々の内視鏡に対応することができる。この場合、現存の内視鏡はもちろんのこと、将来、規格、仕様、設計等の変更があったときでも、それに容易に対応することができる。
【０２２６】
そして、本発明では、光源装置本体の制御手段と該光源装置本体に装着される接続ユニットとが適合するか否かを報知するための報知用情報を生成する情報生成手段を有するので、前記接続ユニットの適合、不適合の情報を容易かつ確実に得ることができる。
【０２２７】
特に、前記報知用情報が表示を行うための情報であり、その報知用情報を表示する表示手段を有する場合や、その報知用情報を出力する出力部を有し、該出力部を介して前記報知用情報が表示手段に入力され、その表示手段により前記報知用情報が表示される場合には、前記接続ユニットの適合、不適合の情報をより容易かつ確実に得ることができる。
【０２２８】
これにより、作業者は、前記接続ユニットが不適合の場合には、そのエラーに対して迅速かつ確実に対処することができる。
【０２２９】
また、信号処理回路とコネクタとを同一の基板に設けた場合には、コネクタと信号処理回路との距離を比較的短くすることができ、コネクタと信号処理回路とを導通させるパターンや導電線の長さを比較的短くすることができ、これにより、不要輻射（不要な電磁波の放出）を低減（または防止）することができる。
【０２３０】
また、信号処理回路とコネクタとを同一の基板に設けた場合には、信号処理回路とコネクタとを別々の基板に設けて、これらを導電線等の接続ケーブルにより電気的に接続した接続ユニットの場合に比べ、構造が簡易であり、小型化が図れ、また、部品点数が少なく、製造が容易である。
【図面の簡単な説明】
【図１】本発明の内視鏡用光源装置（光源装置本体および接続ユニット）の実施形態を示す斜視図である。
【図２】本発明の内視鏡用光源装置の実施形態の主要部（内視鏡用光源装置に内視鏡が装着された状態）を示す断面図である。
【図３】本発明における初段信号処理回路基板の構成例を示す斜視図である。
【図４】モノクロ面順次撮像方式に対応する初段信号処理回路基板およびカラー単板撮像方式に対応する初段信号処理回路基板の構成例を示す側面図である。
【図５】本発明におけるコネクタ受けの構成例を示す側面図、正面図および背面図である。
【図６】本発明における初段信号処理回路基板に設けられたスコープコネクタと、光源装置本体に設けられたコネクタ受けとが係合した状態を示す図である。
【図７】本発明における内視鏡装置の回路構成例を示すブロック図である。
【図８】本発明におけるカラー単板撮像方式に対応する初段信号処理回路の構成例を示すブロック図である。
【図９】本発明におけるモノクロ面順次撮像方式に対応する初段信号処理回路の構成例を示すブロック図である。
【図１０】本発明における光源装置本体に設けられたコネクタと、初段信号処理回路基板と、基板検出器とを示す図である。
【図１１】本発明におけるシステムコントロール回路の制御動作を示すフローチャートである。
【図１２】本発明におけるシステムコントロール回路の制御動作を示すフローチャートである。
【図１３】本発明におけるシステムコントロール回路の制御動作を示すフローチャートである。
【図１４】本発明におけるシステムコントロール回路の制御動作を示すフローチャートである。
【図１５】本発明におけるシステムコントロール回路の制御動作を示すフローチャートである。
【図１６】本発明におけるエラー情報の表示例を示す図である。
【図１７】本発明におけるエラー情報の表示例を示す図である。
【図１８】本発明におけるエラー情報の表示例を示す図である。
【図１９】本発明における初段信号処理回路基板の仕様（仕様データ）の表示例を示す図である。
【符号の説明】
１          光源装置（内視鏡用光源装置）
１ａ        フロントパネル
１０        光源装置本体
２          内視鏡
３          初段信号処理回路基板
３ａ        上端部
３ｂ        下端部
４          基板レールガイド
５          コネクタ用孔
６          コネクタ受け
６ａ        空間
７          ライトガイド用孔
８          ライトガイド
１１        初段信号処理回路
１２        ＲＯＭ
１３        カードエッジ
１４        スコープコネクタ
１５        ライトガイド用開口
２０        映像信号用同軸コネクタ
２１        コネクタピン
２２        映像信号用同軸コネクタ
２５        溝
３０        コネクタ挿入部
３１        ネジ孔
３２        第１のガイド片
３３        第２のガイド片
３４        テーパ面
３５        ネジ
３６        リブ
３７        当接部
３８        基板
４０        接続部
４１        スコープコネクタ
４２        ライトコネクタ
４３        接続ケーブル
５０        キーボード
５１        モニター
５１０      画面
５２        初段信号処理回路交換用扉
５５        基板検出器
５５１      プルアップ抵抗
５６        システムコントロール回路
５６１      メモリ
５７        光源
５８        モータ制御回路
５９        モータ
６０        絞り
６１        モータ制御回路
６２        モータ
６３        ＲＧＢ回転フィルタ
６４        集光レンズ
６５        タイミングコントロール回路
６６        照明系レンズ
６７        撮像レンズ
６８        ＣＣＤイメージセンサ
６９        撮像素子用ドライバ回路
７０        画像メモリ
７１        後段映像信号処理回路
７２        フィルタ移動機構
７３        フロントパネルスイッチ
７５ａ、７５ｂ、７５ｃ  プリアンプ
７６ａ、７６ｂ、７６ｃ  ビデオフィルタ
７７        マトリクス回路
７８Ｒ、７８Ｇ、７８Ｂ  アンプ
７９Ｒ、７９Ｇ、７９Ｂ  ガンマ補正回路
８０        Ａ／Ｄ変換器
８１        プリアンプ
８２        ビデオフィルタ
８３        サンプルホールド回路
８４        アンプ
８５        ガンマ補正回路
８６        Ａ／Ｄ変換器
８７        ＥＥＰＲＯＭ
９０、９１、９２  コネクタ
１００      電子内視鏡装置
Ｓ１０１〜Ｓ１０５  ステップ
Ｓ２０１〜Ｓ２１３  ステップ
Ｓ３０１〜Ｓ３０５  ステップ
Ｓ４０１〜Ｓ４０４  ステップ
Ｓ５０１    ステップ
【図１】
0004241991.tif 000002
【図２】
0004241991.tif 000003
【図３】
0004241991.tif 000004
【図４】
0004241991.tif 000005
【図５】
0004241991.tif 000006
【図６】
0004241991.tif 000007
【図７】
0004241991.tif 000008
【図８】
0004241991.tif 000009
【図９】
0004241991.tif 000010
【図１０】
0004241991.tif 000011
【図１１】
0004241991.tif 000012
【図１２】
0004241991.tif 000013
【図１３】
0004241991.tif 000014
【図１４】
0004241991.tif 000015
【図１５】
0004241991.tif 000016
【図１６】
0004241991.tif 000017
【図１７】
0004241991.tif 000018
【図１８】
0004241991.tif 000019
【図１９】
0004241991.tif 000020